(57)【要約】【課題】頭部にかける負担を軽減できるヘッドマウントディスプレイの装着具及びヘッドマウントディスプレイを提供する。【解決手段】ＨＭＤ１００の装着具１は、第一バンド１０、第二バンド２０を備える。第一バンド１０は使用者の頭部に巻き付けることが可能であり延設方向に延びる帯状体である。第二バンド２０は、第一バンド１０の外周面に沿って延設方向に延びる帯状体である。第二バンド２０には、板状部材８０の接続部８２を露出する切欠き部２３Ｒ，２３Ｌが設けられている。装着具１は、切欠き部２３Ｒ，２３Ｌのいずれかの位置に接続部８２を配置した状態で、第一バンド１０と第二バンド２０との間に板状部材８０を挟んで配置する。第一結合部３１Ｒ，３１Ｌは、板状部材８０に設けられた第一孔部を介して第一バンド１０と第二バンド２０とを結合する。【選択図】図２
2020053905.tif 000002
【特許請求の範囲】
【請求項１】
ヘッドマウントディスプレイの画像表示部を使用者の頭部に装着するための装着具であって、
前記頭部に巻き付けることが可能な帯状体である第一バンドと、
前記第一バンドのうち前記頭部に巻き付けられた場合に前記頭部に対向する側の面とは反対側の面である外周面に沿って延びる帯状体である第二バンドと、
前記第一バンドの前記外周面に対して前記第二バンドを結合する第一結合部と
を備え、
前記第一バンド及び前記第二バンドは、前記画像表示部を接続可能な接続部を一方の面に備えた板状部材の前記一方の面を前記第二バンドの側に配置した状態で、前記第一バンドと前記第二バンドとの間に前記板状部材を配置可能であり、
前記第二バンドは、前記第一バンドと前記第二バンドとの間に配置された前記板状部材の前記接続部を前記第二バンドから露出させるために切り欠かれた切欠き部を備え、
前記第一結合部は、前記板状部材が前記第一バンドと前記第二バンドとの間に配置された状態において、前記第一バンドが延びる延伸方向における前記板状部材の一方側の端部よりも前記切欠き部に近い位置で、前記板状部材を貫通して設けられる第一孔部を介して前記第一バンドと前記第二バンドとを結合する
ことを特徴とするヘッドマウントディスプレイの装着具。
【請求項２】
前記板状部材を貫通して設けられる第二孔部を介して前記第一バンドと前記第二バンドとを結合する第二結合部を備え、
前記第一結合部と前記切欠き部との間の前記延伸方向における長さよりも、前記第二結合部と前記切欠き部との間の前記延伸方向における長さが長いことを特徴とする請求項１に記載のヘッドマウントディスプレイの装着具。
【請求項３】
前記第一結合部及び前記第二結合部のうち少なくとも前記第一結合部は、前記第一バンドが前記頭部に巻き付けられた場合に、前記第二バンドの上下方向における中心よりも上側の位置に設けられることを特徴とする請求項２に記載のヘッドマウントディスプレイの装着具。
【請求項４】
前記第一バンドのうち前記延伸方向に直交する幅方向におけるいずれか一方の端部である第一端部と、前記第二バンドのうち前記幅方向における前記第一端部と同じ側の端部である第二端部とが繋がった繋ぎ部を備え、
前記切欠き部は、前記第二端部とは反対側の端部に向けて開口して設けられていることを特徴とする請求項１から３のいずれかに記載のヘッドマウントディスプレイの装着具。
【請求項５】
前記第一結合部から前記繋ぎ部までの間の前記幅方向における長さと、前記板状部材の前記第一孔部から前記繋ぎ部が配置される側に配置される前記板状部材の端部までの間の前記幅方向における長さとが等しいことを特徴とする請求項４に記載のヘッドマウントディスプレイの装着具。
【請求項６】
前記第二バンドの前記延伸方向における端部を前記第一バンドの前記外周面に対して結合する第三結合部を備えたことを特徴とする請求項５に記載のヘッドマウントディスプレイの装着具。
【請求項７】
前記第二孔部は、前記第一孔部の前記延伸方向における長さよりも前記延伸方向に長く形成されていることを特徴とする請求項２又は３に記載のヘッドマウントディスプレイの装着具。
【請求項８】
前記画像表示部の制御部を有するコントロールボックスを、前記第一バンドが前記頭部に巻き付けられた場合に前記頭部を挟んで前記切欠き部と対向する位置に配置するための配置部を備えたことを特徴とする請求項１から７のいずれかに記載のヘッドマウントディスプレイの装着具。
【請求項９】
前記画像表示部は、前記使用者の両眼のうちいずれかの眼に対して画像を表示するものであり、
前記第一結合部と前記切欠き部とを二組備え、
二組の前記第一結合部と前記切欠き部とを、前記第一バンドが前記頭部に巻き付けられた場合に前記頭部の額の部分に配置される位置である特定位置に対して対称に設けたことを特徴とする請求項１から８のいずれかに記載のヘッドマウントディスプレイの装着具。
【請求項１０】
請求項１から９のいずれかに記載のヘッドマウントディスプレイの装着具と、
前記板状部材と、
前記画像表示部と、
一端部が前記板状部材の前記接続部に接続され、他端部が前記画像表示部に接続されるアーム部と
を備えたことを特徴とするヘッドマウントディスプレイ。
【発明の詳細な説明】
【技術分野】
【０００１】
本発明は、ヘッドマウントディスプレイの装着具及びヘッドマウントディスプレイに関する。
【背景技術】
【０００２】
従来、画像を表示する表示ユニットを備えるヘッドマウントディスプレイ（Head Mounted Display、ＨＭＤ）を、使用者の頭部に装着するための技術が知られている。特許文献１は、一対のクリップが配置された表示ユニットと、頭部に巻回して締結することが可能なベルトと、ベルトに設けられた受け部材とを備えた頭部装着型表示装置を開示する。受け部材は、一対のクリップを受け止める受板部を備え、クリップを受板部に挟み込ませることで、受け部材に表示ユニットが固定される。
【先行技術文献】
【特許文献】
【０００３】
【特許文献１】特開２００８−２５８７８４号公報
【発明の概要】
【発明が解決しようとする課題】
【０００４】
受け部材には表示ユニットを固定するための一定の剛性が必要となるが、上記の技術のように装着時に受け部材が頭部に直接触れる構成の場合、受け部材が使用者の頭部に対して違和感を与える可能性がある。また、表示ユニットの位置の調整範囲を広げるため、受け部材と表示ユニットとがアーム状の部材を介して連結されることがある。この場合、受け部材にアームが連結される位置を支点として、受け部材を下方に回転させるモーメントが生じるので、受け部材の下部に荷重が集中し、使用者の頭部にさらに負担がかかりやすくなる。使用者は、ベルトを頭部により強く巻き付けることによって、受け部材の下部への荷重の集中を防ぐこともできるが、ベルトが頭部に巻き付けられる力が強くなるほど、使用者の頭部全体への負担が増大しやすい。このように、従来の技術には、使用者の頭部にかかる負担のため、装着具を長時間装着しづらいといった問題がある。
【０００５】
本発明は、頭部にかける負担を軽減できるヘッドマウントディスプレイの装着具及びヘッドマウントディスプレイを提供することを目的とする。
【課題を解決するための手段】
【０００６】
本発明の第一態様に係るヘッドマウントディスプレイは、ヘッドマウントディスプレイの画像表示部を使用者の頭部に装着するための装着具であって、前記頭部に巻き付けることが可能な帯状体である第一バンドと、前記第一バンドのうち前記頭部に巻き付けられた場合に前記頭部に対向する側の面とは反対側の面である外周面に沿って延びる帯状体である第二バンドと、前記第一バンドの前記外周面に対して前記第二バンドを結合する第一結合部とを備え、前記第一バンド及び前記第二バンドは、前記画像表示部を接続可能な接続部を一方の面に備えた板状部材の前記一方の面を前記第二バンドの側に配置した状態で、前記第一バンドと前記第二バンドとの間に前記板状部材を配置可能であり、前記第二バンドは、前記第一バンドと前記第二バンドとの間に配置された前記板状部材の前記接続部を前記第二バンドから露出させるために切り欠かれた切欠き部を備え、前記第一結合部は、前記板状部材が前記第一バンドと前記第二バンドとの間に配置された状態において、前記第一バンドが延びる延伸方向における前記板状部材の一方側の端部よりも前記切欠き部に近い位置で、前記板状部材を貫通して設けられる第一孔部を介して前記第一バンドと前記第二バンドとを結合することを特徴とする。
【０００７】
本発明の第一態様に係るヘッドマウントディスプレイの装着具は、第一バンドと、第一バンドの外周面に沿って延びる第二バンドとの間に、画像表示部を接続可能な板状部材を配置することができる。板状部材が第一バンドに沿った状態で第一バンドと第二バンドとの間に挟まれるので、板状部分の特定の箇所に画像表示部の荷重が集中することが回避される。また、装着具を装着する使用者の頭部に板状部材が直接当接しないので、頭部への負担の軽減が図られる。第二バンドには板状部材の接続部を露出させる切欠き部が設けられているので、板状部材に対する画像表示部の装着性の向上が図られる。また、第一結合部は、板状部材の一方側の端部よりも切欠き部に近い位置において板状部材の第一孔部を介して第一バンドと第二バンドとを結合する。これにより、板状部材のうち画像表示部の荷重がかかりやすい接続部に近接する部分が、第一孔部を介して第一バンドに対して固定されやすい。よって、第一バンドを頭部に巻き付ける力を増大させることなく、板状部材が第一バンドと第二バンドとの間に安定して保持されるため、視認性も向上する。したがって、第一態様に係るヘッドマウントディスプレイの装着具は、頭部にかける負担を軽減できる。
【０００８】
前記ヘッドマウントディスプレイの装着具は、前記板状部材を貫通して設けられる第二孔部を介して前記第一バンドと前記第二バンドとを結合する第二結合部を備え、前記第一結合部と前記切欠き部との間の前記延伸方向における長さよりも、前記第二結合部と前記切欠き部との間の前記延伸方向における長さが長くてもよい。
【０００９】
この場合、第一結合部によって板状部材の接続部近傍の位置決めがなされ、第二結合部によって続部から離れた位置における板状部材の位置決めがなされるので、第一バンドと第二バンドとの間において板状部材全体の位置が安定する。
【００１０】
前記第一結合部及び前記第二結合部のうち少なくとも前記第一結合部は、前記第一バンドが前記頭部に巻き付けられた場合に、前記第二バンドの上下方向における中心よりも上側の位置に設けられてもよい。
【００１１】
この場合、第一バンドと第二バンドとが第二バンドの上下方向における中心よりも上側において結合されるので、画像表示部が固定されることによって発生するモーメントの力によって、板状部材がその下端を支点として下方向に回転しようとする力が抑えられる。したがって、装着具の装着感が向上する。
【００１２】
前記ヘッドマウントディスプレイの装着具は、前記第一バンドのうち前記延伸方向に直交する幅方向におけるいずれか一方の端部である第一端部と、前記第二バンドのうち前記幅方向における前記第一端部と同じ側の端部である第二端部とが繋がった繋ぎ部を備え、
前記切欠き部は、前記第二端部とは反対側の端部に向けて開口して設けられてもよい。
【００１３】
この場合、第一バンドと第二バンドとが繋ぎ部において繋がっているので、第一バンドと第二バンドとの間から板状部材が抜けにくくなる。また、切欠き部が繋ぎ部の設けられる第二端部と反対側の端部に向けて開口するので、繋ぎ部において第一バンドと第二バンドとが繋がった状態が保たれる。したがって、板状部材が第一バンドと第二バンドとの間に安定して保持され、視認性が向上する。
【００１４】
前記第一結合部から前記繋ぎ部までの間の前記幅方向における長さと、前記板状部材の前記第一孔部から前記繋ぎ部が配置される側に配置される前記板状部材の端部までの間の前記幅方向における長さとが等しくてもよい。
【００１５】
この場合、第一バンドと第二バンドとの間に板状部材が配置された場合に、第一結合部によって第一バンドと第二バンドとが結合された状態において、板状部材の端部が繋ぎ部に沿って配置されるので、板状部材の位置が安定する。
【００１６】
前記ヘッドマウントディスプレイの装着具は、前記第二バンドの前記延伸方向における端部を前記第一バンドの前記外周面に対して結合する第三結合部を備えてもよい。
【００１７】
第二バンドの延伸方向における端部が第一バンドに結合されるので、第一バンドが頭部に巻き付けられた場合に第一バンドの外周面に対して第二バンドの全体が近接しやすくなり、第一バンドと第二バンドとの間における板状部材の配置がより安定する。
【００１８】
前記第二孔部は、前記第一孔部の前記延伸方向における長さよりも前記延伸方向に長く形成されていてもよい。
【００１９】
この場合、第一バンドが頭部に巻き付けられたときに第一バンド及び第二バンドが伸縮しても、第二結合部が遊びを有して第一バンドと第二バンドとを結合できる。これにより、板状部材が使用者の頭部に合わせて変形して、板状部材が装着具に対して安定して固定されるため、視認性が向上する。
【００２０】
前記ヘッドマウントディスプレイの装着具は、前記画像表示部の制御部を有するコントロールボックスを、前記第一バンドが前記頭部に巻き付けられた場合に前記頭部を挟んで前記切欠き部と対向する位置に配置するための配置部を備えてもよい。
【００２１】
この場合、所定の重量を有するコントロールボックスを、画像表示部に対して頭部を挟んで対向する位置に配置できるので、ヘッドマウントディスプレイを搭載した装着具全体の重量のバランスが向上し、装着具の装着感も向上する。
【００２２】
前記画像表示部は、前記使用者の両眼のうちいずれかの眼に対して画像を表示するものであり、前記ヘッドマウントディスプレイの装着具は、前記第一結合部と前記切欠き部とを二組備え、二組の前記第一結合部と前記切欠き部とを、前記第一バンドが前記頭部に巻き付けられた場合に前記頭部の額の部分に配置される位置である特定位置に対して対称に設けてもよい。
【００２３】
この場合、装着具は、特定位置に対して対称となる位置のそれぞれに板状部材の配置を変更できるので、装着具の利便性が向上する。
【００２４】
本発明の第二態様に係るヘッドマウントディスプレイは、前記ヘッドマウントディスプレイの装着具と、前記板状部材と、前記画像表示部と、一端部が前記板状部材の前記接続部に接続され、他端部が前記画像表示部に接続されるアーム部とを備えたことを特徴とする。
【００２５】
本発明の第二態様に係るヘッドマウントディスプレイは、板状部材の接続部に対して、アーム部を介して画像表示部を接続する。ヘッドマウントディスプレイがこのような構成をとる場合であっても、板状部材が第一バンドと第二バンドとの間に安定して配置することができる。したがって、第二態様に係るヘッドマウントディスプレイは、頭部にかける負担を軽減できる。
【図面の簡単な説明】
【００２６】
【図１】ＨＭＤ１００の使用例を示す斜視図である。
【図２】ＨＭＤ１００の斜視図である。
【図３】ＨＭＤ１００の平面図である。
【図４】ＨＭＤ１００の左側面図である。
【図５】板状部材８０の斜視図である。
【図６】板状部材８０の正面図である。
【図７】図４の仮想直線Ｌ２を矢印方向から見た断面図である。
【図８】コントロールボックス９０を装着具１に配置したＨＭＤ１００の斜視図である。
【図９】変形例におけるＨＭＤ２００の平面図である。
【発明を実施するための形態】
【００２７】
本発明の実施形態について、図１から図７を参照して説明する。ヘッドマウントディスプレイ（Head Mounted Display、以下、「ＨＭＤ」という。）１００は、ビデオ透過型のＨＭＤである。ＨＭＤ１００は、装着具１、板状部材８０、連結部９及び画像表示部４を備える。以下、図の説明の理解を助けるため、ＨＭＤ１００の上側、下側、左側、右側、前側及び後側を定義する。ＨＭＤ１００の上側、下側、左側、右側、前側及び後側は、例えば、図１の上側、下側、左斜め上側、右斜め下側、左斜め手前側及び右斜め奥側にそれぞれ対応する。
【００２８】
図１及び図２に示すように、装着具１は、左右方向に延伸する細長い帯状体であり、伸縮性及び弾性を有する材質で構成される。装着具１は、使用者Ｕに着用されることで、画像表示部４を使用者Ｕの頭部に装着するための部材である。本実施形態において、装着具１は天然繊維、化学然繊維等による布製である。装着具１は、第一バンド１０、第二バンド２０及び後部バンド５０を備える。第一バンド１０は、左右方向に延伸する細長い帯状体であり、装着具１が使用者Ｕに着用された状態において使用者Ｕの前頭部及び側頭部に巻き付けられる部分である。以下、第一バンド１０が延びる方向を、「延伸方向」という。
【００２９】
第一バンド１０の延伸方向における長さは、装着具１の中央位置１Ａを使用者Ｕの前頭部のうち額の中央に配置した状態において、第一バンド１０の右端部１０Ａが使用者Ｕの左側頭部に、左端部１０Ｂが右側頭部にそれぞれ接触する程度に設けられる。中央位置１Ａは、装着具１が使用者Ｕの前頭部のうち額の中央の位置に配置されるべき位置である。ただし、中央位置１Ａは、必ずしも使用者Ｕの前頭部のうち額の中央の位置に配置されなくてもよい。第一バンド１０の延伸方向に直交する幅方向における長さは、使用者Ｕの額を覆う程度に設けられる。以下、装着具１が使用者Ｕの頭部に装着された状態において、第一バンド１０で囲まれる側を「内側」といい、内側とは反対側を「外側」という。
【００３０】
第二バンド２０は、延伸方向に沿って延伸する細長い帯状体であり、装着具１が使用者Ｕに装着された状態において、第一バンド１０のうち外側に配置される面である外周面１５（図３及び図４参照）に沿って延びて設けられる。本実施形態において、第一バンド１０の延伸方向における長さと第二バンド２０の延伸方向における長さとは、略同じである。したがって、第二バンド２０の右端部２０Ａは、第一バンド１０の右端部１０Ａの位置まで延びており、第二バンド２０の左端部２０Ｂは、第一バンド１０の左端部１０Ｂの位置まで延びている。第二バンド２０の幅方向における長さは、第一バンド１０の幅方向における長さより僅かに短い。
【００３１】
第二バンド２０は、中央位置１Ａと右端部２０Ａとの間の位置に切欠き部２３Ｒを、中央位置１Ａと左端部２０Ｂとの間の位置に切欠き部２３Ｌを、それぞれ備える。切欠き部２３Ｒ，２３Ｌは、それぞれ、上端部２２から下端部２１に向けて延伸方向に所定の長さを有して第二バンド２０が切り欠かれた部分である。切欠き部２３Ｒ，２３Ｌの上部は上端部２２に連なって開口している。切欠き部２３Ｒ，２３Ｌの下部は、下端部２１のやや上側の位置まで延びている。図１に示すように、切欠き部２３Ｒ，２３Ｌは、装着具１が着用された使用者Ｕのこめかみのあたりに配置される。本実施形態では、図３及び図４に示すように、切欠き部２３Ｒ，２３Ｌは、第二バンド２０において、中央位置１Ａに対して左右対称となる位置に設けられている。
【００３２】
第一バンド１０の下端部１１と第二バンド２０の下端部２１とは縫い合わされている。第二バンド２０の上端部２２は、切欠き部２３Ｒ，２３Ｌが設けられる位置において開口しているが、下端部２１には切欠き部２３Ｒ，２３Ｌの下部が到達していないので、下端部２１は下端部１１と同じ位置において、延伸方向に連続して延びる。このため、下端部１１と下端部２１とは、延伸方向に亘って互いに繋がった繋ぎ部１Ｂを構成している。
【００３３】
後部バンド５０は、装着具１が使用者Ｕに装着された状態において使用者Ｕの後頭部に接触する部分である。図２に示すように、後部バンド５０は、右後部バンド５１及び左後部バンド５２を備える。右後部バンド５１は、装着具１の右端部を構成する。左後部バンド５２は、装着具１の左端部を構成する。右後部バンド５１及び左後部バンド５２は、それぞれ第一バンド１０及び第二バンド２０よりも幅方向の長さが短い帯状体である。図３に示すように、右後部バンド５１の一端は、第一バンド１０の右端部１０Ａに縫い付けられている。左後部バンド５２の一端は、第一バンド１０の左端部１０Ｂに縫い付けられている。右後部バンド５１のうち右端部２０Ａに縫い付けられている側とは反対側の端部５１１と、左後部バンド５２のうち左端部２０Ｂに縫い付けられている側とは反対側の端部５２１とは、面ファスナーによって互いに連結可能な後部連結部５３を備える。後部連結部５３によって端部５１１と端部５２１とは着脱可能に連結される。使用者Ｕは、装着具１の中央位置１Ａを額に配置させた状態で第一バンド１０の右端部１０Ａ及び左端部１０Ｂを側頭部に沿わせ、右後部バンド５１と左後部バンド５２とを後頭部に配置する。使用者Ｕは、右後部バンド５１と左後部バンド５２とを後部連結部５３において連結させることで、装着具１を頭部に巻き付けて着用できる。使用者Ｕは、端部５１１と端部５２１との重なり具合を調整することによって、頭部の大きさに応じて装着具１の装着感を調整できる。
【００３４】
図５及び図６に示すように、板状部材８０は、左右方向に延び、且つ、左右方向における中央部が右端部８７及び左端部８８よりも前側に向けてやや突出した状態で湾曲した薄手の板状である。板状部材８０は、正面から見た状態で左右方向に長さを有する略長方形状である。板状部材８０の幅方向の長さ（板状部材８０の下端８３と上端８４との間の長さ）は、第二バンド２０の幅方向の長さ（第二バンド２０の下端部２１と上端部２２との間の長さ）と略同一である。本実施形態において、板状部材８０は、可撓性を有する合成樹脂で構成されている。板状部材８０は、接続部８２、第一孔部８５Ｒ，８５Ｌ、第二孔部８６Ｒ，８６Ｌを備える。接続部８２は、板状部材８０の前面部８１の左右方向における中央部において、板状部材８０の上端８４よりも下端８３に近接した位置に設けられている。接続部８２は、後述する画像表示部４を接続可能な部分である。
【００３５】
第一孔部８５Ｒ，８５Ｌ、第二孔部８６Ｒ，８６Ｌは、それぞれ、板状部材８０を前後方向（厚み方向）に貫通して設けられている孔部である。第一孔部８５Ｒ，８５Ｌは、下端８３よりも上端８４に近接した位置であり、且つ、接続部８２に対して左右対称となる位置に設けられている。第一孔部８５Ｒ，８５Ｌは、それぞれ正面視で略円形状である。第一孔部８５Ｒは、接続部８２の右側に設けられ、第一孔部８５Ｌは、接続部８２の左側に設けられる。第二孔部８６Ｒ，８６Ｌは、それぞれ、第一孔部８５Ｒ，８５Ｌと同程度に上端８４に近接した位置であり、且つ、接続部８２に対して左右対称となる位置に設けられている。第二孔部８６Ｒ，８６Ｌは、それぞれ正面視で略楕円形状の左右方向に長い孔である。本実施形態では、第二孔部８６Ｒ，８６Ｌの延伸方向における長さは、第一孔部８５Ｒ，８５Ｌの延伸方向における長さよりも長い。板状部材８０において、第二孔部８６Ｒは第一孔部８５Ｒよりも右方に設けられ、第二孔部８６Ｌは第一孔部８５Ｌよりも左方に設けられる。
【００３６】
板状部材８０は、前面部８１を外側に向けて第一バンド１０と第二バンド２０との間に挟まれた状態で配置される。第二バンド２０の切欠き部２３Ｒ，２３Ｌは、第一バンド１０と第二バンド２０との間に配置された板状部材８０の接続部８２を、第二バンド２０から外側に露出させて配置するために設けられている。図１から図３では、切欠き部２３Ｒの位置に板状部材８０の接続部８２の位置を対応させた状態で第一バンド１０と第二バンド２０との間に板状部材８０が配置された状態を示す。この状態で、板状部材８０の右端部８７が第二バンド２０の切欠き部２３Ｒと右端部２０Ａとの間の位置に配置され、左端部８８が装着具１の中央位置１Ａに近接する位置に配置される。なお、板状部材８０が第一バンド１０と第二バンド２０との間に配置された状態で、板状部材８０の下端８３は繋ぎ部１Ｂによって下側から支持される。このため、板状部材８０が装着具１から抜け落ちることがない。
【００３７】
装着具１が使用者Ｕの頭部に巻き付けられて着用される場合、第二バンド２０が延伸方向に伸長することによって第二バンド２０に張力が生じ、第二バンド２０の全体が第一バンド１０に対してフィットしやすくなる。このため、第二バンド２０の内側面によって板状部材８０の全体が第一バンド１０に対して支持されやすくなる。これにより、装着具１は、第一バンド１０自体が使用者Ｕの頭部に巻き付けられる力を強めることなく、板状部材８０を第一バンド１０の外周面１５に対して安定して支持できる。
【００３８】
図１から図３に示すように、連結部９は、後述する画像表示部４と板状部材８０とを連結する。連結部９は、アーム部９１、ボールジョイント６，７を有する。アーム部９１は略棒状であり、樹脂、金属等で構成される。アーム部９１は、正面から見た状態で上下方向に延びる。アーム部９１の一端部は、ボールジョイント６を介して板状部材８０の接続部８２に接続される。アーム部９１の他端部は、ボールジョイント７を介して画像表示部４の接続部４２に接続される。
【００３９】
図３に示すように、ボールジョイント６は、ボールスタッド６１及びソケット６２を備える。ボールスタッド６１は、アーム部９１の一端部から延びる。ボールスタッド６１は、球体部６１Ａ及び棒部６１Ｂを有する。球体部６１Ａは、球状の部位である。球体部６１Ａは、ボールスタッド６１のうちアーム部９１の側とは反対側の端部に設けられる。棒部６１Ｂは、球体部６１Ａから棒状に延びる部位であり、球体部６１Ａとは反対側の端部がアーム部９１の一端部に固定される。ソケット６２は、ボールスタッド６１の球体部６１Ａを摺動可能に支持する。ソケット６２は、板状部材８０の接続部８２に接続する。ボールスタッド６１の球体部６１Ａがソケット６２に対して摺動することによって、ボールジョイント６は、板状部材８０の接続部８２とアーム部９１とを、球体部６１Ａの中心を回転中心として回転可能に連結する。
【００４０】
ボールジョイント７は、ボールスタッド７１及びソケット７２を備える。ボールスタッド７１は、アーム部９１の他端部から延びる。ボールスタッド７１は、ボールスタッド６１と同様の形状の球体部７１Ａ及び棒部７１Ｂを有する。球体部７１Ａは、ボールスタッド７１のうちアーム部９１の側とは反対側の端部に設けられる。棒部７１Ｂの球体部７１Ａとは反対側の端部はアーム部９１の他端部に固定される。ソケット７２は、ボールスタッド７１の球体部７１Ａを摺動可能に支持する。ソケット７２は、画像表示部４の接続部４２に接続する。ボールスタッド７１の球体部７１Ａがソケット７２に対して摺動することによって、ボールジョイント７は、画像表示部４の接続部４２とアーム部９１とを、球体部７１Ａの中心を回転中心として回転可能に連結する。
【００４１】
アーム部９１及びボールジョイント６，７は、板状部材８０と画像表示部４との間に介在する。ボールジョイント６，７は、板状部材８０に対する画像表示部４の位置を、それぞれの回転可能に調整可能である。図１から図３に示すように、板状部材８０の接続部８２が切欠き部２３Ｒの位置に配置される場合、アーム部９１及びボールジョイント６，７は、使用者Ｕの左眼に対する画像表示部４の位置を調整できる。
【００４２】
図２から図４に示すように、画像表示部４は筐体４１を備える。筐体４１は中空箱状である。図２及び図３に示すように、筐体４１の右側面から右側に向けて、接続部４２が延びる。接続部４２は、ボールジョイント７のソケット７２に接続する。図４に示すように、筐体４１の後端部に矩形状の開口４３が設けられる。開口４３は、透明の板状部材で覆われている。筐体４１の内部にレンズユニット、ピント調節機構及び液晶パネル（図示略）が収容される。レンズユニット及び液晶パネルは、前側から後側に向けて順に並ぶ。ピント調節機構は、操作部材４４を有する。操作部材４４は、筐体４１の前面に配置される。
【００４３】
液晶パネルは、その表示領域に画像を表示させることによって、画像の光をレンズユニットに向けて出射する。レンズユニットは、液晶パネルから出射された画像の光を開口４３に導く。画像の光は、筐体４１の開口４３を通過し、さらに、透明の板状部材を透過して、筐体４１の後方に向けて出射される。本実施形態において、画像表示部４は、使用者Ｕの両眼のうちいずれかの眼に対して画像を表示する。切欠き部２３Ｒの位置に板状部材８０の接続部８２の位置を対応させた状態で第一バンド１０と第二バンド２０との間に板状部材８０が配置された場合、連結部９を介して接続部８２に接続する画像表示部４が使用者Ｕの左眼の前側に配置される。これによって、使用者Ｕは、画像を左眼で視認できる。使用者Ｕは、操作部材４４を回転させることによって、視認する画像のピント調節を行うことができる。ピント調節操作が行われると、画像表示部４に下方向に回転する力がかかる状態が発生する可能性がある。
【００４４】
図２から図４に示すように、装着具１は、第一結合部３１Ｒ，３１Ｌ、第二結合部３２Ｒ，３２Ｌ及び第三結合部３３Ｒ，３３Ｌを備える。第一結合部３１Ｒ，３１Ｌ、第二結合部３２Ｒ，３２Ｌ及び第三結合部３３Ｒ，３３Ｌは、第一バンド１０の外周面１５に対して第二バンド２０を結合する部分である。本実施形態において、第一結合部３１Ｒ，３１Ｌ、第二結合部３２Ｒ，３２Ｌ及び第三結合部３３Ｒ，３３Ｌは、第一バンド１０の外周面１５に対して第二バンド２０を着脱容易に留め付けることができるスナップボタンで構成されている。
【００４５】
図２、図３及び図７に示すように、第一結合部３１Ｒは、切欠き部２３Ｒの右側の位置に、切欠き部２３Ｒに近接して設けられる。図２に示すように、第一結合部３１Ｒは、第二バンド２０の下端部２１よりも上端部２２に近接するように、第二バンド２０の幅方向における中央よりも上側の位置に設けられる。なお、第一結合部３１Ｒと第一結合部３１Ｌとは、装着具１の中央位置１Ａに対して左右対称となる位置に設けられている。図４に示すように、第一結合部３１Ｌは、切欠き部２３Ｌの左側の位置に、切欠き部２３Ｌに近接して設けられる。第一結合部３１Ｒ，３１Ｌは、装着具１において、上下方向において同じ位置に設けられる。
【００４６】
図７のＷ１領域に示すように、第一結合部３１Ｒを構成するスナップボタンは、凹部を有する凹ボタン３０Ａと、凸部を有する凸ボタン３０Ｂとを有している。凸ボタン３０Ｂの凸部が凹ボタン３０Ａの凹部に嵌め合わされることで、凹ボタン３０Ａと凸ボタン３０Ｂとが結合する。本実施形態では、凸ボタン３０Ｂが第一バンド１０の外周面１５に設けられ、凹ボタン３０Ａが第二バンド２０に設けられる。なお、第一結合部３１Ｌ、第二結合部３２Ｒ，３２Ｌ及び第三結合部３３Ｒ，３３Ｌも、第一結合部３１Ｒを構成するスナップボタンと同じスナップボタンで構成されている。
【００４７】
図２に示すように、切欠き部２３Ｒの延伸方向における中央部を上下方向に延びる仮想直線Ｌ１と第一結合部３１Ｒの延伸方向における中央部との間の長さを、長さＭ１とする。長さＭ１は、板状部材８０の接続部８２の左右方向における中央部と第一孔部８５Ｒの中心との間の左右方向における長さと同じ長さに設けられている。図４に示すように、第二バンド２０の下端部２１と、第一結合部３１Ｒ，３１Ｌの上下方向における中央部を延伸方向に伸びる仮想直線Ｌ２との間の長さを、長さＭ３とする。図６に示すように、板状部材８０の下端８３と、第一孔部８５Ｒ，８５Ｌの中心を左右方向に伸びる仮想直線Ｌ３との間の上下方向における長さを、長さＭ４とする。長さＭ３と長さＭ４とは同じ長さに設けられている。したがって、板状部材８０の接続部８２が切欠き部２３Ｒの位置に配置された状態で板状部材８０が第一バンド１０と第二バンド２０との間に配置された場合、板状部材８０の第一孔部８５Ｒと第一結合部３１Ｒとが同じ位置に配置される。
【００４８】
図７のＷ１領域に示すように、第一結合部３１Ｒは、板状部材８０を第一バンド１０と第二バンド２０との間に配置した状態で凹ボタン３０Ａと凸ボタン３０Ｂとを嵌め合わせることで、第一バンド１０と第二バンド２０とを第一孔部８５Ｒを介して結合する。これにより、板状部材８０のうち、画像表示部４の荷重がかかりやすい接続部８２に近接する部分が、第一バンド１０に対して固定される。第一孔部８５Ｒの直径は、凸ボタン３０Ｂの凸部の大きさよりも僅かに大きく設けられている。よって、第一結合部３１Ｒが結合された状態において、第一バンド１０と第二バンド２０との間に配置された板状部材８０のうち第一孔部８５Ｒが設けられる部分の位置が、第一結合部３１Ｒの位置からずれにくい。第一孔部８５Ｒは、接続部８２の近傍に設けられているので、第一結合部３１Ｒによって第一バンド１０と第二バンド２０とが結合されることで、板状部材８０の接続部８２の装着具１に対する位置がずれにくくなる。
【００４９】
図２、図３及び図７に示すように、第二結合部３２Ｒは、延伸方向において切欠き部２３Ｒに対して第一結合部３１Ｒが配置される側とは反対側に設けられる。図２に示すように、仮想直線Ｌ１と第二結合部３２Ｒの延伸方向における中央部との間の長さを、長さＭ２とする。長さＭ２は、長さＭ１よりも長い。第二結合部３２Ｒは、第二バンド２０の幅方向における中央よりも上側の位置に設けられる。本実施形態では、第二結合部３２Ｒは、上下方向において第一結合部３１Ｒと同じ位置に設けられる。なお、第二結合部３２Ｒと第二結合部３２Ｌとは、装着具１の中央位置１Ａに対して左右対称となる位置に設けられている。図４に示すように、第二結合部３２Ｌは、延伸方向において切欠き部２３Ｌに対して第一結合部３１Ｌが配置される側とは反対側に設けられる。第二結合部３２Ｒ，３２Ｌは、装着具１において、上下方向において同じ位置に設けられる。つまり、第二結合部３２Ｒ，３２Ｌは、第一結合部３１Ｒ，３１Ｌと同様に図４に示す仮想直線Ｌ２上に設けられる。第二バンド２０の下端部２１と、第二結合部３２Ｒ，３２Ｌの上下方向における中央部との長さは、長さＭ３である。図６に示すように、板状部材８０の下端８３と、第二孔部８６Ｒ，８６Ｌの上下方向における中央部との長さは、長さＭ４である。
【００５０】
図７のＷ２領域に示すように、第二結合部３２Ｒは、第一バンド１０の側に設けられた凸ボタン３０Ｂと、第二バンド２０の側に設けられた凹ボタン３０Ａとを備える。図２に示す長さＭ２は、板状部材８０の接続部８２の左右方向における中央部と第二孔部８６Ｌの中心との間の左右方向における長さと同じ長さに設けられている。したがって、板状部材８０の接続部８２が切欠き部２３Ｒの位置に配置された状態で板状部材８０が第一バンド１０と第二バンド２０との間に配置された場合、板状部材８０の第二孔部８６Ｌと第二結合部３２Ｒとが同じ位置に配置される。第二結合部３２Ｒは、板状部材８０を第一バンド１０と第二バンド２０との間に配置した状態で凹ボタン３０Ａと凸ボタン３０Ｂとを嵌め合わせることで、第一バンド１０と第二バンド２０とを第二孔部８６Ｌを介して結合する。これにより、板状部材８０の接続部８２に近接する部分が第一結合部３１Ｒによって、接続部８２から離間した部分が第二結合部３２Ｒによって、それぞれ第一バンド１０の外周面１５に対して固定される。したがって、装着具１における板状部材８０の配置がさらに安定する。
【００５１】
板状部材８０の接続部８２には画像表示部４の荷重による下方向の力がかかる。このため、板状部材８０には、下端８３を支点として上端８４を下方向に回転しようとする力が働きやすい。第一結合部３１Ｒ及び第二結合部３２Ｒは、第二バンド２０の幅方向において上下方向における中央よりも上側の位置で、第一孔部８５Ｒ及び第二孔部８６Ｌを介して第一バンド１０と第二バンド２０とを結合する。これにより、板状部材８０の上端８４の近傍が第一バンド１０に対して固定される。よって、板状部材８０が下端８３を支点として下方向に回転しようとする力が抑えられ、下端８３が使用者Ｕの頭部を押圧する等といった不具合の発生が低減する。したがって、装着具１は、使用者Ｕに長時間着用されても、使用者Ｕに負担がかかりにくくできる。
【００５２】
装着具１が着用されることによって第一バンド１０及び第二バンド２０が伸縮する場合がある。特に、後部バンド５０を用いた装着具１のサイズ調整が行われる場合等に、第一バンド１０及び第二バンド２０が延伸方向に伸縮しやすい。第二孔部８６Ｌは、左右方向に長さを有する。よって、装着具１が使用者Ｕに着用されることによって第一バンド１０及び第二バンド２０が延伸方向に伸縮しても、第二結合部３２Ｒは、延伸方向に遊びを有して板状部材８０を第一バンド１０と第二バンド２０との間に保持することができる。第二孔部８６Ｌが延伸方向に長いので、第二結合部３２Ｒが第一バンド１０及び第二バンド２０の伸縮に合わせて第二孔部８６Ｌの中を移動できる。これによって、延伸方向における第二結合部３２Ｒの位置の自由度が増すので、使用者Ｕによって頭部の大きさが異なっても、装着具１は、板状部材８０を確実に安定した状態で保持できる。したがって、装着具１の着用時に板状部材８０の接続部８２が切欠き部２３Ｒの位置からずれることが防止され、画像表示部４の位置が安定し、視認性も向上する。
【００５３】
なお、長さＭ３（図４参照）と長さＭ４（図６参照）とが同じであるので、第一結合部３１Ｒ及び第二結合部３２Ｒによって第一バンド１０と第二バンド２０とが結合されると、第一バンド１０と第二バンド２０との間に配置された板状部材８０の下端８３が繋ぎ部１Ｂに当接して配置される。長さＭ３は、第一バンド１０及び第二バンド２０が伸縮していない状態又は第一バンド１０及び第二バンド２０が幅方向にやや伸長した状態における長さであることが好ましい。長さＭ３が、第一バンド１０及び第二バンド２０が伸縮していない状態の長さである場合には、第一結合部３１Ｒ及び第二結合部３２Ｒが第一孔部８５Ｒ及び第二孔部８６Ｌを介して緩みなく結合し、第一バンド１０と第二バンド２０との間に配置された板状部材８０の下端８３が繋ぎ部１Ｂにちょうど沿うように配置される。この場合、装着具１における板状部材８０の位置が安定する。長さＭ３が、第一バンド１０及び第二バンド２０が幅方向にやや伸長した状態の長さである場合には、第一結合部３１Ｒ及び第二結合部３２Ｒが結合された状態で、第一バンド１０と第二バンド２０との間に配置された板状部材８０の下端８３が繋ぎ部１Ｂに対してやや食い込むようにして沿って配置される。この場合、第一バンド１０に対して第二バンド２０が引き付けられるので、第一バンド１０の外周面１５に対する板状部材８０の密着性が向上する。言い換えると、板状部材８０を挟んでいない状態の長さＭ３は、第一バンド１０及び第二バンド２０の伸長分だけ長さＭ４よりも短いことが好ましい。
【００５４】
装着具１において、切欠き部２３Ｒ，２３Ｌ、第一結合部３１Ｒ，３１Ｌ及び第二結合部３２Ｒ，３２Ｌのそれぞれが中央位置１Ａに対して左右対称となる位置に設けられている。また、板状部材８０において、第一孔部８５Ｒ，８５Ｌ及び第二孔部８６Ｒ，８６Ｌそれぞれが接続部８２に対して左右対称となる位置に設けられている。このため、装着具１は、板状部材８０の接続部８２を切欠き部２３Ｌに配置させて、連結部９を介して接続部８２に接続する画像表示部４を使用者Ｕの右眼の前側に配置させることができる。この場合、第一結合部３１Ｌによって第一孔部８５Ｌを介して第一バンド１０と第二バンド２０とが結合され、第二結合部３２Ｌによって第二孔部８６Ｌを介して第一バンド１０と第二バンド２０とが結合される。よって、板状部材８０が第一バンド１０の外周面１５に対して安定して固定される。
【００５５】
第一結合部３１Ｒ，３１Ｌ及び第二結合部３２Ｒ，３２Ｌのそれぞれは、第一バンド１０の外周面１５に対して第二バンド２０を着脱容易に構成されているので、装着具１に対する板状部材８０の取り付け及び取り外しが容易である。このため、例えば、使用者Ｕの作業交代等に応じて、一の使用者Ｕの装着具１に取り付けられていた板状部材８０を、他の使用者Ｕの装着具１に付け替えることができる。すなわち、ＨＭＤ１００は、複数の使用者Ｕのそれぞれが装着具１を有しており、複数の使用者Ｕで板状部材８０、連結部９及び画像表示部４を共有するような使用態様を提供できる。また、ＨＭＤ１００は、使用者Ｕの利き目や作業内容に応じて板状部材８０の接続部８２を切欠き部２３Ｒ，２３Ｌのいずれの位置に配置するかを使用者Ｕに選択させることができるので、ＨＭＤ１００の使い勝手が向上する。また、装着具１から板状部材８０を取り外して装着具１を洗濯すること等も可能であるので、装着具１が清潔な状態に維持されやすい。
【００５６】
図２、図３及び図７に示すように、第三結合部３３Ｒは、第一バンド１０の右端部１０Ａと第二バンド２０の右端部２０Ａとを結合する。第三結合部３３Ｌは、第一バンド１０の左端部１０Ｂと第二バンド２０の左端部２０Ｂとを結合する。本実施形態において、第三結合部３３Ｒ，３３Ｌは、第一結合部３１Ｒ，３１Ｌと同じスナップボタンで構成される装着具１において、第三結合部３３Ｒ，３３Ｌは、第一結合部３１Ｒ，３１Ｌ及び第二結合部３２Ｒ，３２Ｌと同様に、図４に示す仮想直線Ｌ２上の位置に設けられる。第三結合部３３Ｒ，３３Ｌによって第二バンド２０の右端部２０Ａ及び左端部２０Ｂが第一バンド１０の外周面１５に対して固定されている。これにより、装着具１の着用時に第二バンド２０が延伸方向に伸長することによって第二バンド２０に生じる張力が、より大きくなる。したがって、第一バンド１０の外周面１５に対して第二バンド２０の全体がよりフィットしやすくなり、第一バンド１０と第二バンド２０との間における板状部材８０の配置がより安定する。
【００５７】
以上説明したように、装着具１は、第一バンド１０と第二バンド２０との間に板状部材８０を配置する。板状部材８０は、第一バンド１０の外周面１５に沿った状態で、第一バンド１０と第二バンド２０との間に挟まれる。装着具１が使用者Ｕの頭部に巻き付けられて着用される場合、第二バンド２０の全体が第一バンド１０に対してフィットしやすくなる。このため、板状部材８０の全体が、第二バンド２０の内側面によって第一バンド１０に対して支持されるので、板状部材８０の接続部８２や下端８３等の特定の箇所に画像表示部４の荷重が集中することが回避される。また、装着具１を着用する使用者Ｕの頭部に板状部材８０が直接当接しないので、頭部への負担の軽減が図られる。第二バンド２０には、板状部材８０に設けられる接続部８２を露出させるための切欠き部２３Ｒ，２３Ｌが設けられているので、板状部材８０に対する画像表示部４の接続が容易である。第一結合部３１Ｒ，３１Ｌは、切欠き部２３Ｒ，２３Ｌに近接する位置において、板状部材８０の第一孔部８５Ｒ，８５Ｌを介して第一バンド１０と第二バンド２０とを結合する。これにより、板状部材８０のうち画像表示部４の荷重が直接かかりやすい接続部８２に近接する部分が、第一バンド１０に対して固定されやすい。よって、第一バンド１０を頭部に強く巻き付けなくても、板状部材８０が第一バンド１０と第二バンド２０との間に安定して保持される。したがって、本実施形態の装着具１は、頭部にかける負担を軽減できる。
【００５８】
第一結合部３１Ｒ，３１Ｌと、切欠き部２３Ｒ，２３Ｌとの間の長さＭ１よりも、第二結合部３２Ｒ，３２Ｌと切欠き部２３Ｒ，２３Ｌとの間の長さＭ２の方が長い。このため、第一結合部３１Ｒ，３１Ｌは、第一バンド１０と第二バンド２０とを第一孔部８５Ｒ，８５Ｌを介して結合することによって、第一バンド１０に対する板状部材８０の接続部８２の近傍の位置決めが行われる。第二結合部３２Ｒ，３２Ｌは、第一バンド１０と第二バンド２０とを第二孔部８６Ｒ，８６Ｌを介して結合することによって、第一バンド１０に対して、板状部材８０のうち接続部８２から離間した部分の位置決めが行われる。したがって、第一バンド１０と第二バンド２０との間において、板状部材８０全体の位置が安定する。
【００５９】
画像表示部４の荷重がかかる板状部材８０には、下端８３を支点として上端８４を下方向に回転しようとする力が働きやすい。第一結合部３１Ｒ，３１Ｌは、第二バンド２０の下端部２１よりも上端部２２に近接するように、第二バンド２０の幅方向における中央よりも上側の位置に設けられる。したがって、板状部材８０の上端８４の近傍が第一バンド１０に対して固定されるので、板状部材８０が下端８３を支点として下方向に回転しようとする力が抑えられ、下端８３が使用者Ｕの頭部を押圧する等といった不具合の発生が低減する。
【００６０】
繋ぎ部１Ｂは、第一バンド１０の下端部１１と第二バンド２０の下端部２１とを繋げることで、板状部材８０が第一バンド１０と第二バンド２０との間から抜け落ちることを防止できる。また、第二バンド２０において、切欠き部２３Ｒ，２３Ｌは、繋ぎ部１Ｂが設けられる側とは反対側となる上端部２２に連なって開口しているので、繋ぎ部１Ｂにおいて第一バンド１０と第二バンド２０とが延設方向に繋がった状態が保たれる。
【００６１】
装着具１において、第二バンド２０の下端部２１と第一結合部３１Ｒ，３１Ｌとの間の幅方向における長さＭ３は、板状部材８０の下端８３と第一孔部８５Ｒ，８５Ｌとの間の上下方向における長さＭ４と同じ長さに設けられている。よって、第一結合部３１Ｒ，３１Ｌと第二結合部３２Ｒ，３２Ｌとが結合された状態で、板状部材８０の下端８３が繋ぎ部１Ｂに沿って配置されるので、板状部材８０の位置が安定する。
【００６２】
第三結合部３３Ｒ，３３Ｌは、第二バンド２０の右端部２０Ａ及び左端部２０Ｂを、第一バンド１０に対して結合する。これにより、第一バンド１０が使用者Ｕの頭部に巻き付けられた場合に、第一バンド１０の外周面１５に対して第二バンド２０がフィットしやすくなるので、第一バンド１０と第二バンド２０との間における板状部材８０の配置がより安定する。
【００６３】
第二孔部８６Ｒ，８６Ｌは、左右方向に長い孔である。このため、装着具１が使用者Ｕに着用されることによって第一バンド１０及び第二バンド２０が延伸方向に伸縮しても、第二結合部３２Ｒ，３２Ｌは、第一バンド１０と第二バンド２０との間に板状部材８０を、遊びを有して保持することができる。したがって、装着具１は、第一孔部８５Ｒ，８５Ｌによって着用時に板状部材８０の接続部８２が切欠き部２３Ｒの位置からずれることを防止し、第二孔部８６Ｒ，８６Ｌにおいて遊びがあることによって画像表示部４の位置を安定させることができる。また、第二孔部８６Ｒ、８６Ｌは、傾斜していてもよい。一例としてそれぞれの第二孔部８６Ｒ、８６Ｌがそれぞれに近いほうの端部に向かって傾斜している場合、装着具１の装着時の変形に応じて下方向に移動することとなり、繋ぎ部１Ｂに食い込んだ状態で固定されるため、安定して固定され、視認性も向上する。
【００６４】
装着具１は、板状部材８０の接続部８２を切欠き部２３Ｒに配置させて、連結部９を介して接続部８２に接続する画像表示部４を使用者Ｕの左眼の前側に配置させることができる。また、装着具１は、板状部材８０の接続部８２を切欠き部２３Ｌに配置させて、連結部９を介して接続部８２に接続する画像表示部４を使用者Ｕの右眼の前側に配置させることができる。このように、装着具１は、中央位置１Ａに対して延伸方向に対称となる位置のそれぞれに板状部材８０の配置を変更できるので、装着具１の利便性が向上する。
【００６５】
ＨＭＤ１００は、板状部材８０の接続部８２に対して、アーム部９１を介して画像表示部４を接続する。この場合、板状部材８０の接続部８２に対して、画像表示部４の荷重が下方向に作用しやすくなる。また、アーム部９１を操作して画像表示部４の位置を調整する際にも、接続部８２に対して作用する荷重が増加しやすい。よって、板状部材８０には、下端８３を支点として上端８４を下方向に回転しようとする力が働きやすい。装着具１は、板状部材８０を第一バンド１０と第二バンド２０との間に安定して配置することができるので、ＨＭＤ１００は、長時間の使用によっても、使用者Ｕの頭部に負担がかかりにくくできる。
【００６６】
本発明は上記実施形態に限定されず、種々の変更が可能である。図８に示すように、ＨＭＤ１００は、画像表示部４を制御するためのデバイス（ＣＰＵ、ドライバＩＣ等）が実装された制御基板９０Ａを収容するコントロールボックス９０を備えてもよい。装着具１は、使用者Ｕに着用された状態において切欠き部２３Ｒに対して使用者Ｕの頭部を挟んで対向する位置に、コントロールボックス９０を配置するための配置部９５を備えてもよい。図８に示すように、配置部９５は、装着具１が使用者Ｕに着用された状態において、使用者Ｕの右側頭部と後頭部との間の位置に配置される。配置部９５は、コントロールボックス９０を装着具１の外側に配置可能な面ファスナーで構成されている。この他、配置部９５は、コントロールボックス９０を装着具１に配置可能なホック、クリップ等で構成されていてもよい。また、配置部９５を備えた板状部材が、板状部材８０のように第一バンド１０と第二バンド２０との間に挟まれて配置されてもよい。これにより、装着具１は、所定の重量を有するコントロールボックス９０を、所定の重量を有する画像表示部４に対して使用者Ｕの頭部を挟んで対向する位置に配置できる。よって、使用者Ｕに装着具１が着用された状態で、ＨＭＤ１００全体の重量のバランスが向上し、装着具１の装着感も向上する。配置部９５は、切欠き部２３Ｌに対して使用者Ｕの頭部を挟んで対向する位置に設けられてもよい。なお、制御基板９０Ａが、本発明の「制御部」の一例である。
【００６７】
画像表示部４は、使用者Ｕの両眼に対して画像を表示するものであってもよい。この場合、上記実施形態では、中央位置１Ａを基準として左右対称にそれぞれ二つ設けられている第一結合部３１Ｒ，３１Ｌ、第二結合部３２Ｒ，３２Ｌ、切欠き部２３Ｒ，２３Ｌが、一つずつ設けられてもよい。装着具１に一つずつ設けられる第一結合部、第二結合部及び切欠き部は、板状部材８０の接続部８２を中央位置１Ａ又はその近傍に配置するように設けられてもよい。この場合、使用者Ｕの両眼の前側に画像表示部４が配置される。例えば、中央位置１Ａ又はその近傍に一つの切欠き部が設けられる場合、前述の配置部９５が、切欠き部に対して使用者Ｕの頭部を挟んで対向する位置である後部バンド５０の位置に設けられてもよい。この場合、装着具１が使用者Ｕに着用された状態において、画像表示部４が使用者Ｕの額の位置に配置され、コントロールボックス９０が使用者Ｕの後頭部の位置に配置されるので、ＨＭＤ１００全体の重量のバランスが向上する。
【００６８】
図９を参照し、ＨＭＤ１００の変形例であるＨＭＤ２００について説明する。ＨＭＤ１００と異なる点は、装着具１１０が、装着具１の後部バンド５０に替えて後部バンド５０Ａを備える点である。その他の構成はＨＭＤ１００及び装着具１と同一である。ＨＭＤ１００及び装着具１と同一の構成についてはＨＭＤ１００及び装着具１と同一の符号を付し、説明を省略する。
【００６９】
装着具１１０において、後部バンド５０Ａは帯状体であり、一端部が第一バンド１０の右端部１０Ａに、他端部が第一バンド１０の左端部１０Ｂに、それぞれ縫い付けられている。すなわち、装着具１１０は、平面視で環状である。後部バンド５０Ａは、平ゴム等の弾性を有する素材で構成されている。装着具１の後部バンド５０は、右後部バンド５１及び左後部バンド５２の二つのバンドを有しているが、後部バンド５０Ａは一つのバンドで構成されている。装着具１１０は、後部バンド５０Ａの弾性によって、使用者Ｕの頭部の大きさに応じて装着具１の装着感を調整できる。
【００７０】
上記の実施形態及び変形例において、第一結合部３１Ｒ，３１Ｌ、第二結合部３２Ｒ，３２Ｌ及び第三結合部３３Ｒ，３３Ｌのそれぞれが、サイズ、形状等が異なるスナップボタンで構成されていてもよい。また、スナップボタンに替えて、第一バンド１０と第二バンド２０とを結合可能な面ファスナー、ホックなどで構成されていてもよい。例えば、第一バンド１０の外周面１５に縫い付けられたボタンと、第二バンド２０においてボタンに対応する位置に設けられたボタン孔とによって構成されていてもよい。また、第一結合部３１Ｒ，３１Ｌ、第二結合部３２Ｒ，３２Ｌ及び第三結合部３３Ｒ，３３Ｌは、第二バンド２０が第一バンド１０の外周面１５に対して縫い付けられる等、着脱が容易でない構成であってもよい。
【００７１】
第一結合部３１Ｒ，３１Ｌ、第二結合部３２Ｒ，３２Ｌ及び第三結合部３３Ｒ，３３Ｌのうち、少なくとも第一結合部３１Ｒ，３１Ｌが第二バンド２０の幅方向における中央よりも上側の位置に設けられていればよい。これにより、少なくとも、板状部材８０のうち最も荷重がかかりやすい接続部８２の上部近傍が、第一バンド１０の外周面１５に対して固定される。
【００７２】
第二結合部３２Ｒは、例えば第一結合部３１Ｒと第二バンド２０の右端部２０Ａとの間の位置に配置される等、切欠き部２３Ｒに対して延伸方向において第一結合部３１Ｒが配置される側と同じ側に設けられてもよい。この場合の第二結合部３２Ｒは、板状部材８０の右端部８７に近接して設けられる第二孔部８６Ｒを介して、第一バンド１０と第二バンド２０とを結合してもよい。
【００７３】
繋ぎ部１Ｂは、第一バンド１０の下端部１１と、第二バンド２０の下端部２１とが延伸方向に亘って互いに繋がった部分であればよく、第一バンド１０の下端部１１と、第二バンド２０の下端部２１とが縫い合わされた構成に限られない。例えば、第一バンド１０と第二バンド２０とは、延伸方向に延びる一続きの布によって構成されていてもよい。この場合、繋ぎ部１Ｂは、一続きの布が、その幅方向の略中央部において二つに折り返された部分として構成されてもよい。また、繋ぎ部１Ｂは、第一バンド１０の上端部１２と第二バンド２０の上端部２２とが延伸方向に亘って互いに繋がった部分として設けられてもよい。
【００７４】
切欠き部２３Ｒ，２３Ｌは、第二バンド２０の上端部２２に向けて開口せず、下端部２１に向けて開口するように設けられていてもよい。また、切欠き部２３Ｒ，２３Ｌは、第二バンド２０の上端部２２及び下端部２１のいずれに向けても開口するように設けられてもよい。また、切欠き部２３Ｒ，２３Ｌは、第二バンド２０の上端部２２及び下端部２１のいずれにも開口せず、接続部８２の形状に合わせて第二バンド２０に設けられた孔部であってもよい。
【００７５】
例えば、第二バンド２０の延伸方向における長さが、第一バンド１０の延伸方向における長さよりも短く設けられる等、第一バンド１０の延伸方向における長さと、第二バンド２０の延伸方向における長さとが異なっていてもよい。第一バンド１０において、中央位置１Ａから右端部１０Ａまでの長さと、中央位置１Ａから左端部１０Ｂまでの長さとが異なっていてもよい。第二バンド２０において、中央位置１Ａから右端部２０Ａまでの長さと、中央位置１Ａから左端部２０Ｂまでの長さとが異なっていてもよい。第一バンド１０及び第二バンド２０とは別に後部バンド５０が設けられている必要はなく、装着具１が後部バンド５０を備えなくてもよい。この場合、装着具１が使用者Ｕに着用された状態において、第一バンド１０及び第二バンド２０のうち少なくともいずれかが使用者Ｕの後頭部の位置まで延びて、使用者Ｕの頭部に巻き付け可能に構成されていてもよい。
【００７６】
画像表示部４は、ハーフミラーを有する構成であってもよい。画像表示部４の液晶パネルは、画像の光を左側に出射してもよい。画像表示部４の筐体４１の左端部に設けられたハーフミラーは、入射した画像の光を後側に反射させ、使用者Ｕの左眼に導いてもよい。また、ハーフミラーは、前側の外界光を後側に透過させ、使用者Ｕの左眼に導いてもよい。画像表示部４は、液晶パネルの代わりに、Digital Mirror Device（ＤＭＤ）、有機ＥＬ等の二次元表示装置を用いてもよい。画像表示部４は、二次元的に走査された光を使用者Ｕの網膜上に投影する網膜走査型の投影装置（Retinal Scanning Display）を用いてもよい。連結部９は、少なくともアーム部９１を備えていればよく、ボールジョイント６，７を備えていなくてもよい。また、ボールジョイント６に替えて、自在継手、ラバーマウント等、他の位置調整機構が設けられてもよい。
【符号の説明】
【００７７】
１，１１０    装着具
４    画像表示部
１０    第一バンド
２０    第二バンド
２３Ｒ，２３Ｌ    切欠き部
３１Ｒ，３１Ｌ    第一結合部
３２Ｒ，３２Ｌ    第二結合部
３３Ｒ，３３Ｌ    第三結合部
８０    板状部材
８２    接続部
８５Ｒ，８５Ｌ    第一孔部
８６Ｒ，８６Ｌ    第二孔部
９０    コントロールボックス
９０Ａ    制御基板
９５    配置部
１００，２００    ＨＭＤ
【図１】
2020053905.tif 000003
【図２】
2020053905.tif 000004
【図３】
2020053905.tif 000005
【図４】
2020053905.tif 000006
【図５】
2020053905.tif 000007
【図６】
2020053905.tif 000008
【図７】
2020053905.tif 000009
【図８】
2020053905.tif 000010
【図９】
2020053905.tif 000011